(57)【要約】      （修正有）【課題】ワークの洗浄品質と洗浄効率が向上するワーク洗浄装置を提供する。【解決手段】洗浄プール１を含むワーク洗浄装置であって、洗浄プールの内腔の中部の一方側に仕切板２が設けられ、洗浄プールの内腔の底部の左側にブラケット３が設けられ、ブラケットの頂部の表面に防水電動回転盤４が設けられ、洗浄プールの内腔の左側壁と仕切板の左側壁にそれぞれリンス機構５が設けられ、リンス機構は、ガントリー、クロスバー、及び高圧ノズルから構成され、洗浄プールの外壁の左側にウォーターポンプ６が設けられ、洗浄プールの内腔の右側壁の底部と仕切板の右側壁の底部にそれぞれ位置規制ブロック７が設けられ、位置規制ブロックの頂部にグリルブラケット８が設けられ、洗浄プールの内腔の右側壁の頂部と仕切板の右側壁の頂部にそれぞれ超音波振動板９が設けられる。【選択図】図２
0003233397.tif 000002
【実用新案登録請求の範囲】
【請求項１】
洗浄プール（１）を含むワーク洗浄装置であって、
前記洗浄プール（１）の内腔の中部の一方側に仕切板（２）が設けられ、
前記洗浄プール（１）の内腔の底部の左側にブラケット（３）が設けられ、
前記ブラケット（３）の頂部の表面に防水電動回転盤（４）が設けられ、
前記洗浄プール（１）の内腔の左側壁と前記仕切板（２）の左側壁にそれぞれリンス機構（５）が設けられ、
前記リンス機構（５）は、ガントリー（５０１）、クロスバー（５０２）、及び高圧ノズル（５０３）から構成され、
前記洗浄プール（１）の外壁の左側にウォーターポンプ（６）が設けられ、
前記洗浄プール（１）の内腔の右側壁の底部と前記仕切板（２）の右側壁の底部にそれぞれ位置規制ブロック（７）が設けられ、
前記位置規制ブロック（７）の頂部にグリルブラケット（８）が設けられ、
前記洗浄プール（１）の内腔の右側壁の頂部と前記仕切板（２）の右側壁の頂部にそれぞれ超音波振動板（９）が設けられ、
前記洗浄プール（１）の外壁の右側に超音波発生器（１０）が設けられる
ことを特徴とするワーク洗浄装置。
【請求項２】
請求項１に記載するワーク洗浄装置であって、
前記仕切板（２）の頂端は、洗浄プール（１）の内腔の頂部と同一面上に形成される
ことを特徴とするワーク洗浄装置。
【請求項３】
請求項１に記載するワーク洗浄装置であって、
前記ガントリー（５０１）の内腔の底部にクロスバー（５０２）が設けられ、
前記クロスバー（５０２）の表面に複数群の高圧ノズル（５０３）が嵌合される
ことを特徴とするワーク洗浄装置。
【請求項４】
請求項１に記載するワーク洗浄装置であって、
前記ウォーターポンプ（６）の出力端は、管路を通じて高圧ノズル（５０３）と連通する
ことを特徴とするワーク洗浄装置。
【請求項５】
請求項１に記載するワーク洗浄装置であって、
前記超音波発生器（１０）の頂部側にストッパー（１１）が設けられ、
前記ストッパー（１１）の一端側は、前記洗浄プール（１）の外壁に接続される
ことを特徴とするワーク洗浄装置。
【請求項６】
請求項１に記載するワーク洗浄装置であって、
前記洗浄プール（１）の底部表面の両側にそれぞれ排汚管（１２）が形成され、
二群の排汚管（１２）は、それぞれ仕切板（２）の両側に位置する
ことを特徴とするワーク洗浄装置。
【考案の詳細な説明】
【技術分野】
【０００１】
本考案は、ワーク洗浄設備技術領域に関し、特にワーク洗浄装置に関する。
【背景技術】
【０００２】
科学技術の進歩と社会の発展に伴い、機械製造業と機械加工産業が急速に発展することにより、精密機械加工技術が急速に発展している。精密機械ワークの加工工程において、リング状のワークがある。通常、リング状のワークを加工した後、先ずは保管しておき、さらに加工する必要があるときに洗浄処理を行う。
【０００３】
しかしながら、従来のワーク洗浄には以下の欠点がある。
従来のワーク洗浄は、手作業によるものが多いため、作業員の負担が大きく、手作業による洗浄効果が不十分である。これにより、ワークの隙間に汚れが残りやすく、ワーク洗浄効果が低下する。
【考案の概要】
【０００４】
上述した問題を解決するために、本考案のある様態によれば、洗浄プールを含むワーク洗浄装置を提供する。ワーク洗浄装置において、前記洗浄プールの内腔の中部の一方側に仕切板が設けられ、前記洗浄プールの内腔の底部の左側にブラケットが設けられ、前記ブラケットの頂部の表面に防水電動回転盤が設けられ、前記洗浄プールの内腔の左側壁と前記仕切板の左側壁にそれぞれリンス機構が設けられ、前記リンス機構は、ガントリー、クロスバー、及び高圧ノズルから構成され、前記洗浄プールの外壁の左側にウォーターポンプが設けられ、前記洗浄プールの内腔の右側壁の底部と前記仕切板の右側壁の底部にそれぞれ位置規制ブロックが設けられ、前記位置規制ブロックの頂部にグリルブラケットが設けられ、前記洗浄プールの内腔の右側壁の頂部と前記仕切板の右側壁の頂部にそれぞれ超音波振動板が設けられ、前記洗浄プールの外壁の右側に超音波発生器が設けられる。リンス機構及びウォーターポンプを設けることにより、ワークの前処理ができる。また、超音波振動板と超音波発生器を設けることにより、洗浄が２回行われ、ワークの洗浄品質と洗浄効率が向上する。
【０００５】
好ましくは、前記仕切板の頂端は、洗浄プールの内腔の頂部と同一面上に形成される。これにより、洗浄プールは、仕切板により二つの洗浄室に仕切られ、ワークに対して異なる程度の洗浄を行うことができる。
【０００６】
好ましくは、前記ガントリーの内腔の底部にクロスバーが設けられ、前記クロスバーの表面に複数群の高圧ノズルが嵌合される。これにより、高圧ノズルは、ガントリーとクロスバーにより支持され、高圧ノズルの動作中の安定性が向上する。
【０００７】
好ましくは、前記ウォーターポンプの出力端は、管路を通じて高圧ノズルと連通する。これにより、導入される水は、ウォーターポンプで加圧され、高圧ノズルに搬送される。
【０００８】
好ましくは、前記超音波発生器の頂部側にストッパーが設けられ、前記ストッパーの一端側は、前記洗浄プールの外壁に接続される。これにより、超音波発生器は、ストッパーにより保護され、超音波発生器の使用安全性は確保される。
【０００９】
好ましくは、前記洗浄プールの底部表面の両側にそれぞれ排汚管が形成され、二群の排汚管は、それぞれ仕切板の両側に位置する。これにより、洗浄プールにおける汚水が排出され、洗浄プールに対する洗浄が簡単にできる。
【考案の効果】
【００１０】
本考案の態様は、下記の有益な効果を奏する。
本考案では、洗浄プールを二つの洗浄室に仕切ることにより、ワークに対して異なる程度の洗浄を行うことができる。ワークは、ブラケットと防水電動回転盤により支持されるとともに、防水電動回転盤により回転される。高圧ノズルは、リンス機構におけるガントリーとクロスバーにより支持され、高圧ノズルの動作中の安定性が向上する。また、ウォーターポンプの出力端は、管路を通じて高圧ノズルと連通するため、導入される水は、ウォーターポンプで加圧され、高圧ノズルに搬送される。高圧ノズルで防水電動回転盤を回転するワークを高圧リンスすることにより、ワークの前処理ができる。
【００１１】
また、本考案では、グリルブラケットを位置規制ブロックで支持することにより、ワークをグリルブラケットに置くことができる。超音波発生器により、超音波振動板が超音波を放出するように超音波振動板の動作を制御する。超音波の液中でのキャビテーション現象、加速流現象、直進流現象により、前処理ワークの汚れに直接的又は間接的に作用し、汚れ層を分散、乳化、剥離して洗浄の目的を達成する。また、超音波発生器は、ストッパーにより保護され、超音波発生器の使用安全性は確保される。洗浄プールにおける汚水が排出され、洗浄プールに対する洗浄が簡単にできる。
【図面の簡単な説明】
【００１２】
【図１】本考案の実施例に係る全体構造模式図である。
【図２】本考案の実施例に係る断面構造模式図である。
【図３】本考案の実施例に係るリンス機構の構造模式図である。
【図４】本考案の実施例に係るＡ部分の構造模式図である。
【考案を実施するための形態】
【００１３】
図１−４に示すように、本考案では、ワーク洗浄装置は、洗浄プール１を含む。前記洗浄プール１の内腔の中部の一方側に仕切板２が設けられ、前記洗浄プール１の内腔の底部の左側にブラケット３が設けられ、前記ブラケット３の頂部の表面に防水電動回転盤４が設けられ、前記洗浄プール１の内腔の左側壁と前記仕切板２の左側壁にそれぞれリンス機構５が設けられ、前記リンス機構５は、ガントリー５０１、クロスバー５０２、及び高圧ノズル５０３から構成され、前記洗浄プール１の外壁の左側にウォーターポンプ６が設けられ、前記洗浄プール１の内腔の右側壁の底部と前記仕切板２の右側壁の底部にそれぞれ位置規制ブロック７が設けられ、前記位置規制ブロック７の頂部にグリルブラケット８が設けられ、前記洗浄プール１の内腔の右側壁の頂部と前記仕切板２の右側壁の頂部にそれぞれ超音波振動板９が設けられ、前記洗浄プール１の外壁の右側に超音波発生器１０が設けられる。リンス機構５及びウォーターポンプ６を設けることにより、ワークの前処理ができる。また、超音波振動板９と超音波発生器１０を設けることにより、洗浄が２回行われ、ワークの洗浄品質と洗浄効率が向上する。
【００１４】
また、前記仕切板２の頂端は、洗浄プール１の内腔の頂部と同一面上に形成される。洗浄プール１は、仕切板２により二つの洗浄室に仕切られ、ワークに対して異なる程度の洗浄を行うことができる。
【００１５】
また、前記ガントリー５０１の内腔の底部にクロスバー５０２が設けられ、前記クロスバー５０２の表面に複数群の高圧ノズル５０３が嵌合される。これにより、高圧ノズル５０３は、ガントリー５０１とクロスバー５０２により支持され、高圧ノズル５０３の動作中の安定性が向上する。
【００１６】
また、前記ウォーターポンプ６の出力端は、管路を通じて高圧ノズル５０３と連通する。これにより、導入される水は、ウォーターポンプ６で加圧され、高圧ノズル５０３に搬送される。
【００１７】
また、前記超音波発生器１０の頂部側にストッパー１１が設けられ、前記ストッパー１１の一端側は、前記洗浄プール１の外壁に接続される。これにより、超音波発生器１０は、ストッパー１１により保護され、超音波発生器１０の使用安全性は確保される。
【００１８】
前記洗浄プール１の底部表面の両側にそれぞれ排汚管１２が形成され、二群の排汚管１２は、それぞれ仕切板２の両側に位置する。これにより、洗浄プール１における汚水が排出され、洗浄プール１に対する洗浄が簡単にできる。
【００１９】
なお、ワーク洗浄装置において、洗浄プール１の内腔の中部の一方側に仕切板２を設け、仕切板２の頂端を洗浄プール１の内腔の頂部と同一面上に形成させることにより、洗浄プール１は、仕切板２により二つの洗浄室に仕切られ、ワークに対して異なる程度の洗浄を行うことができる。前記洗浄プール１の内腔の底部の左側にブラケット３を設け、前記ブラケット３の頂部の表面に防水電動回転盤４を設けることにより、ワークは、ブラケット３と防水電動回転盤４により支持されるとともに、防水電動回転盤４により回転される。前記洗浄プール１の内腔の左側壁と前記仕切板２の左側壁にそれぞれリンス機構５が設けられ、前記リンス機構５は、ガントリー５０１、クロスバー５０２、及び高圧ノズル５０３から構成され、前記ガントリー５０１の内腔の底部にクロスバー５０２が設けられ、前記クロスバー５０２の表面に複数群の高圧ノズル５０３が嵌合される。これにより、高圧ノズル５０３は、ガントリー５０１とクロスバー５０２により支持され、高圧ノズル５０３の動作中の安定性が向上する。また、前記洗浄プール１の外壁の左側にウォーターポンプ６が設けられ、前記ウォーターポンプ６の出力端は、管路を通じて高圧ノズル５０３と連通するため、導入される水は、ウォーターポンプ６で加圧され、高圧ノズル５０３に搬送される。また、高圧ノズル５０３で防水電動回転盤４を回転するワークを高圧リンスすることにより、ワークの前処理ができる。前記洗浄プール１の内腔の右側壁の底部と前記仕切板２の右側壁の底部にそれぞれ位置規制ブロック７が設けられ、前記位置規制ブロック７の頂部にグリルブラケット８が設けられる。グリルブラケット８を位置規制ブロック７で支持することにより、ワークをグリルブラケット８に置くことができる。前記洗浄プール１の内腔の右側壁の頂部と前記仕切板２の右側壁の頂部にそれぞれ超音波振動板９が設けられ、前記洗浄プール１の外壁の右側に超音波発生器１０が設けられる。これにより、超音波発生器１０は、超音波振動板９が超音波を放出するように超音波振動板９の動作を制御する。超音波の液中でのキャビテーション現象、加速流現象、直進流現象により、前処理ワークの汚れに直接的又は間接的に作用し、汚れ層を分散、乳化、剥離して洗浄の目的を達成する。前記超音波発生器１０の頂部側にストッパー１１が設けられ、前記ストッパー１１の一端側は、前記洗浄プール１の外壁に接続される。これにより、超音波発生器１０は、ストッパー１１により保護され、超音波発生器１０の使用安全性は確保される。前記洗浄プール１の底部表面の両側にそれぞれ排汚管１２が形成され、二群の排汚管１２は、それぞれ仕切板２の両側に位置する。これにより、洗浄プール１における汚水が排出され、洗浄プール１に対する洗浄が簡単にできる。
【００２０】
なお、本考案では、ワーク洗浄装置は、洗浄プール１と、仕切板２と、ブラケット３と、防水電動回転盤４と、リンス機構５と、ガントリー５０１と、クロスバー５０２と、高圧ノズル５０３と、ウォーターポンプ６と、位置規制ブロック７と、グリルブラケット８と、超音波振動板９と、超音波発生器１０と、ストッパー１１と、排汚管１２と、含む。上述した部品は、いずれも一般的な標準部品又は当業者にとって既知の部品であり、それらの構造及び原理はすべて、技術マニュアル又は従来の実験方法を通じて当業者に知られている。また、上記の電気部品は、各デバイスの正常な動作を保証するために、当業者によって柔軟に選択され、取り付けられ、回路デバッグがなされ、ここで過度に制限しない。
【符号の説明】
【００２１】
１：洗浄プール
２：仕切板
３：ブラケット
４：防水電動回転盤
５：リンス機構
５０１：ガントリー
５０２：クロスバー
５０３：高圧ノズル
６：ウォーターポンプ
７：位置規制ブロック
８：グリルブラケット
９：超音波振動板
１０：超音波発生器
１１：ストッパー
１２：排汚管
【図１】
0003233397.tif 000003
【図２】
0003233397.tif 000004
【図３】
0003233397.tif 000005
【図４】
0003233397.tif 000006